(57)【要約】【課題】  火災発生時に、防火対象物で自身のいる居室の状態などを知らせることのできる火災感知器を提供する。【解決手段】  火災感知器（１０）は、監視する領域に設置されて火災による現象を検出する火災感知器である。この火災感知器（１０）は、感知器本体の中央部で且つ先端部に配置され、少なくとも第１色（Ｌ１０）及び該第１色とは異なる第２色（Ｌ２０）を発光する発光部（ＬＥＤ）と、火災による現象を検出する検出部（４３）と、検出部による検出値がしきい値を超えているか否かを判断し、超えている場合には発光部に第１色（Ｌ１０）を点灯させ、超えていない場合には発光部に第２色（Ｌ２０）を点灯させる制御部（４２）と、を備える。【選択図】  図１
2015094982.tif 000002
【特許請求の範囲】
【請求項１】
監視する領域に設置されて火災による現象を検出する火災感知器において、
感知器本体の中央部で且つ先端部に配置され、少なくとも第１色及び該第１色とは異なる第２色を発光する発光部と、
前記火災による現象を検出する検出部と、
前記検出部による検出値がしきい値を超えているか否かを判断し、超えている場合には前記発光部に前記第１色を点灯させ、超えていない場合には前記発光部に前記第２色を点灯させる制御部と、を備えることを特徴とする火災感知器。
【請求項２】
前記感知器本体は、略円筒形状もしくは略円錐形状に形成されており、前記検出部は、前記感知器本体の先端部に配置される発光部を外し、先端側に配置されている請求項１の火災感知器。
【請求項３】
前記発光部は、第１色および第２色に加えて複数色の発光が行え、前記制御部は、前記検出部による検出値が前記複数色に対応する複数のしきい値と比較し、各しきい値との関係で適切な色で前記発光部に点灯させる請求項１又は請求項２の火災感知器。
【発明の詳細な説明】
【技術分野】
【０００１】
本発明は、火災感知器に関し、特に、火災時に防火対象物内に居る人々に、防火対象物内から避難する警報光などの機能を備えた火災感知器に関する。
【背景技術】
【０００２】
火災発見のため、熱式または煙式等の火災感知器によって、温度又は煙濃度を検出し、自動的に火災判定し火災報知する自動火災報知設備が設置されている。この火災報知設備には、火災報知を防火対象物内の人々に知らせるため、すなわち、火災報知するため、例えば、地区音響装置、非常放送設備等の警報装置が設置されている。そして、これらに接続された火災受信機は、火災感知器からの火災報知信号に基づいて警報装置を動作させるように制御し、火災発生を報知する。
【０００３】
警報ブザー、フラッシュライトなどの警報装置を感知器とは別個に配置することは、美観を損なう場合がある。特許文献１は、感知器本体の内底面にスピーカを収容させた火災感知器を提案している。この特許文献１の火災感知器は、感知器本体から音や音声を発している。また既築建物に警報装置を新たに設置する場合にあっては、配線の処理も極めて困難である。そこで、特許文献２は、感知器本体の外周部にフラッシュライト、スピーカ等を収容させた火災感知器を提案している。
【先行技術文献】
【特許文献】
【０００４】
【特許文献１】特開２００８−１３４８７６号公報
【特許文献２】特開２０１２−０１４７４２号公報
【発明の開示】
【発明が解決しようとする課題】
【０００５】
しかしながら、上記従来の技術においては、スピーカ又はフラッシュライト等による警報するのみで、防火対象物内の居室などがどのような状態であるか又は防火対象物でどのように避難すればよいか等を防火対象物内の人々に提示していない。
【０００６】
本発明は、上記事由に鑑みて、火災発生時に、防火対象物で自身のいる位置からどのように避難すればよいか、又は自身が居る居室の状態を知らせることのできる火災感知器を提供することにある。
【課題を解決するための手段】
【０００７】
第１の観点の火災感知器は、監視する領域に設置されて火災による現象を検出する火災感知器である。この火災感知器は、感知器本体の中央部で且つ先端部に配置され、少なくとも第１色及び該第１色とは異なる第２色を発光する発光部と、火災による現象を検出する検出部と、検出部による検出値がしきい値を超えているか否かを判断し、超えている場合には発光部に第１色を点灯させ、超えていない場合には発光部に第２色を点灯させる制御部と、を備える。
【０００８】
第２の観点の火災感知器の感知器本体は、略円筒形状もしくは略円錐形状に形成されており、検出部は、感知器本体の先端部に配置される発光部を外し、先端側に配置されている。
第３の観点の火災感知器の発光部は、第１色および第２色に加えて複数色の発光が行え、制御部は、検出部による検出値が複数色に対応する複数のしきい値と比較し、各しきい値との関係で適切な色で発光部に点灯させる。
【発明の効果】
【０００９】
本発明の火災感知器又は自動火災報知設備は、火災発生時に、防火対象物で自身のいる位置からどのように避難すればよいか、又は今居る居室等の状態を知らせることができる。
【図面の簡単な説明】
【００１０】
【図１】本発明による火災感知器１０を示した平面図及び側面図である。
【図２】図１のＡ−Ａ断面の概略図である。
【図３】火災受信機１００に接続された火災感知器１０の概念図である。
【図４】最初の感知器報知信号が発報されるまでのしきい値ＴＨ１と、感知器報知信号が発報された後のしきい値ＴＨ１及びＴＨ２を例示した表である。
【図５】火災感知器のフローチャートであり、火災感知器１０Ｂからの感知器報知信号に基づいて他の火災感知器１０Ａ、１０Ｃ及び１０Ｅが作動する例である。
【図６】火災受信機１００に接続された火災感知器１０及び光警報器の概念図である。
【図７】火災感知器及び光警報器のフローチャートであり、火災受信機１００からの感知器報知信号に基づいて他の火災感知器１０Ａ、１０Ｃ及びそれらの光警報機５５が作動する例である。
【発明を実施するための最良の形態】
【００１１】
（第１実施形態）
図１は、本発明の一実施形態である火災感知器１０であり、図１（ａ）はＺ軸方向から見た平面図であり、図１（ｂ）はＹ軸方向から見た平面図である。図２は、図１のＡ−Ａ断面の概略断面図である。
【００１２】
火災感知器１０は、図２に示されるように、感知器本体１１とベース１９とからなる。感知器本体１１は、ネジ止め等により天井面又は壁面に固定されたベース１９に装着されて着脱可能なように構成される。感知器本体１１は、その全体形状が、略円筒形状もしくは略円錐形状に形成されている。感知器本体１１は、大別して、半球状の拡散カバー１２、第１筐体１４及び第２筐体１８からなる。火災感知器１０が建物の天井面又は壁面に取り付けられた際には、半球状の拡散カバー１２が建物内で下向き又は横向きに突出している。
【００１３】
拡散カバー１２は、透明又は半透明のガラス又はプラスチック材料からなる。図１（ａ）に示されるように、この拡散カバー１２の内側には、３つのＬＥＤ光源Ｌ１０、３つのＬＥＤ光源Ｌ２０、３つのＬＥＤ光源Ｌ３０がＸ軸方向に配置される。図２に示されるように、ＬＥＤ光源Ｌ１０、ＬＥＤ光源Ｌ２０及びＬＥＤ光源Ｌ３０は、プリント基板４１に配置され、そのプリント基板４１が第１筐体１４に取り付けられている。ＬＥＤ光源Ｌ１０、ＬＥＤ光源Ｌ２０及びＬＥＤ光源Ｌ３０は、それぞれ異なる発光色であり、例えばＬＥＤ光源Ｌ１０の発光色は赤色であり、ＬＥＤ光源Ｌ２０の発光色は橙色であり、ＬＥＤ光源Ｌ３０の発光色は緑色である。本実施形態では、ＬＥＤ光源Ｌ１０、ＬＥＤ光源Ｌ２０及びＬＥＤ光源Ｌ３０の数量は３つずつとしたが、発光光量又は注意喚起のために適宜数量は変更しもよい。また、ＬＥＤ光源Ｌ１０、ＬＥＤ光源Ｌ２０及びＬＥＤ光源Ｌ３０の各発光色も互いに異なれば適宜変更してもよいし、ＬＥＤ光源Ｌ１０及びＬＥＤ光源Ｌ２０の２色だけでもよい。プリント基板４１は、後述するように条件によって、点灯又は点滅するＬＥＤ光源Ｌ１０〜Ｌ３０を変更するための制御部４２を実装している。
【００１４】
図２に示されるように、プリント基板４１の＋Ｚ軸側には、火災に起因よる現象を検出する検出部４３が備えられている。つまり、検出部４３は、ＬＥＤ光源を外して円筒形状もしくは円錐形状の先端側に配置され、詳細に示さないが、外形が略円筒状の光学台であって、その外周がいわゆるラビリンス構造で外光を遮断しながら外気流が通じ、そのラビリンス構造の内側に、投受光部が形成されて、いわゆる散乱光式に煙を検出する煙検出部としての構成が設けられている。さらに、投受光部と同様にＣＯセンサや熱検出素子としてのサーミスタが設けられている。この検出部４３に通じるように、第１筐体１４の円周に周辺環境導入口１５が形成され、その周辺環境導入口１５には、防虫網２２が取り付けられている。火災に起因よる物理現象は、例えば、煙、熱、赤外線放射、紫外線放射、一酸化炭素等の燃焼生成ガス等があり、検出部４３として対象は上記に限らず、必要に応じて検出部４３の構成を変更することができるが、単独のものでも良い。検出部４３はこれらの少なくとも一つを検出し検出信号ＤＤ（図３を参照。）を出力する。
【００１５】
第１筐体１４の＋Ｚ軸側に配置された第２筐体１８は、その内部に、音声メッセージを発音するスピーカもしくは複数の音色を発音する電子ブザー等の発音部４５、及び火災感知器１０の周辺の音を集音するマイク４７を備えている。さらに第２筐体１８は、その内部に、火災感知器１０の周辺の画像を撮影する撮影部であるカメラ４９を備えている。本実施形態では、カメラ４９は第２筐体１８内に円周方向に９０度間隔で４つ配置される。広角の画像を撮影できるなら２又は３つ配置されていてもよい。各カメラ４９のレンズ方向には、第２筐体１８が切り欠かれており、その切り欠かれた部分に透明窓３２が配置される。
【００１６】
また、図２に示されるように、第１筐体１４内に、ＬＥＤ光源Ｌ１０〜Ｌ３０及び制御部４２用の電池ＢＴが配置され、第２筐体１８内に、発音部４５及びマイク４７用の電池ＢＴが配置される。
【００１７】
図２に示されるように、ＬＥＤ光源Ｌ１０〜Ｌ３０が検出部４３の−Ｚ軸方向に形成されていることにより、ＬＥＤ光源Ｌ１０〜Ｌ３０が周辺環境導入口１５から入る気流の邪魔とはならない。また、拡散カバー１２が天井面から下方又は壁面から横方向に向いてＬ１０、Ｌ２０、又はＬ３０が発光するため、天井面又は壁面から室内に向けて赤色、橙色又は緑色を効率よく発光することができる。このため、聴覚の機能が十分でない障害者が存在する場合にも、火災警報を知らせることができる。
【００１８】
図３は、防火対象物である地下１階地上３階建てのビルに、地上１階から地上３階まで複数の火災感知器１０（１０Ａ〜１０Ｆ）が配置された概念図である。地下１階に火災受信機１００が配置され、地上１階には火災感知器１０Ａ及び１０Ｂが設置され、地上２階には火災感知器１０Ｃ及び１０Ｄが設置され、地上３階には火災感知器１０Ｅ及び１０Ｆが設置されている。火災感知器１０（１０Ａ〜１０Ｆ）は、伝送線５０を介して火災受信機１００に接続されている。火災感知器１０Ａは、内部ブロック図が描かれている。ここで、火災感知器１０は、伝送線５０を介して電源供給を受けており、検出部４３に関係する火災感知器として必要な部分は伝送線５０を電源として稼働している。そして、火災感知器１０内に、ＬＥＤ光源Ｌ１０〜Ｌ３０及び制御部４２用の電池ＢＴや発音部４５及びマイク４７用の電池ＢＴが設けられていて、伝送線５０からの電源を過剰に使用しない構成となっている。なお、各部の電源に関し、当然必要量が保持できなければならないが、例えば伝送線５０を介して十分に供給されるなら各電池ＢＴは不要とでき、また、カメラ４９用の電池を必要であれば設ければよく、また、常時は商用電源を利用するようにしても良い。
【００１９】
なお、図３には詳細に示さないが、火災報知設備として必要な機器は設置されていて、例えば、地区音響装置を用いる場合には、地区音響装置が設置されて直接火災受信機１００によって制御されてもよく、また、中継器を介して伝送線５０に接続されて伝送信号によって制御されてもよい。また、防排煙機器を用いる場合も同様に中継器を介して伝送線５０に接続されて伝送信号によって制御される。
【００２０】
火災感知器１０（１０Ａ〜１０Ｆ）の制御部４２は、ＬＥＤ光源Ｌ１０〜Ｌ３０、検出部４３、発音部４５、マイク４７及びカメラ４９に接続されている。そして制御部４２は検出部４３で検出された火災に起因する物理現象（例えば、煙）の信号を受信し記憶し、検出部４３からの検出信号ＤＤに基づいて、ＬＥＤ光源Ｌ１０〜Ｌ３０、発音部４５、マイク４７、カメラ４９を制御する。また、制御部４２は、所定のしきい値（例えば後述するしきい値ＴＨ１）を超える出力を得るときに火災受信機１００及び他の火災感知器１０へ感知器報知信号を送信する。つまり、感知器報知信号は、所定のしきい値を超えたことで各火災感知器にＬＥＤ光源の制御開始を示す信号である。なお、感知器報知信号は、火災受信機１００の伝送制御に従って、必要な火災感知器から火災受信機１００が受信し、さらに火災受信機１００から各火災感知器へ送信する場合が多い。しかしここでは火災受信機１００がタイミングをとらず、必要な火災感知器が信号を送信し、他の火災感知器がその信号を受信する形式としている。
【００２１】
火災受信機１００には総合操作盤１０２及び火災モニタ盤１０４が接続されている。総合操作盤１０２は、火災感知器１０（１０Ａ〜１０Ｆ）のビル内の配置位置を表示し、また、発音部４５、マイク４７及びカメラ４９を個々に操作できる。火災モニタ盤１０４は、カメラ４９からの映像を表示する。
【００２２】
次に、火災感知器１０（１０Ａ〜１０Ｆ）のしきい値について説明する。図４は、各しきい値ＴＨを例示した表である。各火災感知器１０Ａ〜１０Ｆの制御部４２は、しきい値ＴＨ１及びしきい値ＴＨ２が設定されている。本実施形態の検出部４３は、煙センサ機能、一酸化炭素センサ機能及び温度センサ機能を有しており、制御部４２は、しきい値を煙センサ機能、一酸化炭素センサ機能及び温度センサ機能毎に有している。
【００２３】
本実施形態では、図４の上段に示される表のように、火災感知器１０（１０Ａ〜１０Ｆ）のいずれかが最初に感知器報知信号を発報する際にはしきい値ＴＨ１を使用する。火災感知器１０（１０Ａ〜１０Ｆ）のいずれかがしきい値ＴＨ１を超えたと判断した後、他の火災感知器１０は、図４の下段に示される表で、ＬＥＤ光源３０、マイク４７及びカメラ４９を動作させる。
【００２４】
感知器報知信号を発報された後は、各火災感知器１０（１０Ａ〜１０Ｆ）のいずれか一つのセンサの値がしきい値ＴＨ１又はＴＨ２に達することで、しきい値ＴＨ１又はＴＨ２を超えたと判断する。
【００２５】
図４の上段に示される表のように、火災感知器１０（１０Ａ〜１０Ｆ）のいずれかが最初に感知器報知信号を発報する際にはしきい値ＴＨ１を使用する。例えば、最初に火災感知器１０Ｂの煙センサ機能がしきい値ＴＨ１を超えた場合に、火災感知器１０Ｂの制御部４２が感知器報知信号を発報するとともに、ＬＥＤ光源２０（橙色）を点灯させ、マイク４７及びカメラ４９の電源をＯＮさせる。その後、他の火災感知器１０Ａ，１０Ｃ〜１０Ｆは、図４の下段に示される表で、ＬＥＤ光源、マイク４７及びカメラ４９を作動させる。
【００２６】
図４の下段に示される表について説明する。しきい値ＴＨ１以下は、危険度が”低”であり、例えば、煙は５％／ｍ未満、一酸化炭素は５００ｐｐｍ未満、温度は温度上昇１０℃／分未満（以下、℃／ｍｉｎと表示する）である。しきい値ＴＨ１を超え且つしきい値ＴＨ２以下は、危険度が”中”であり、例えば、煙は５％／ｍ以上１０％／ｍ未満、一酸化炭素は５００ｐｐｍ以上５００ｐｐｍ未満、温度は温度上昇１０℃／ｍｉｎ以上３０℃／ｍｉｎ未満である。しきい値ＴＨ２を超えると、危険度が”高”であり、例えば、煙は１０％／ｍ以上、一酸化炭素は１０００ｐｐｍ以上、温度は温度上昇３０℃／ｍｉｎ以上である。
【００２７】
危険度が”低”の場合、ＬＥＤ光源３０（緑色）が点灯し、発音部４５（音声内容：なし、または、「感知器が作動しました。避難してください。」等）、マイク４７及びカメラ４９が作動する。危険度が”中”の場合、ＬＥＤ光源２０（橙色）が点灯し、発音部４５（音声内容：「感知器が作動しました。避難してください。」等）、マイク４７及びカメラ４９が作動する。危険度が”高”の場合、ＬＥＤ光源１０（赤色）が点灯し、発音部４５（音声内容：「すぐに避難してください。」等）、マイク４７及びカメラ４９が作動する。なお、危険度が”低”又は”中”の場合でも、マイク４７及びカメラ４９が作動したが、必ずしもその必要はない。例えば危険度が”高”の場合のみに、マイク４７及びカメラ４９が作動してもよい。そして危険度が”低”又は”中”の場合には、総合操作盤１０２（図１を参照。）を使って操作者が、マイク４７及びカメラ４９を作動するようにしてもよい。
【００２８】
図４の上段及び下段の表の説明では、煙センサ機能、一酸化炭素センサ機能及び温度センサ機能のいずれか一つのセンサがしきい値ＴＨ１又はＴＨ２を超えた場合について説明した。しかしこれに限られるのではなく、２つのセンサ機能の組み合わせた算出値がしきい値ＴＨ１又はＴＨ２に達したら、しきい値ＴＨ１又はＴＨ２を超えたと判断してもよいし、３つのセンサ機能の値を組み合わせた場合の算出値がしきい値ＴＨ１又はＴＨ２に達したら、しきい値ＴＨ１又はＴＨ２を超えたと判断してもよい。
【００２９】
火災感知器１０（１０Ａ〜１０Ｆ）の動作について説明する。図５は、火災感知器１０Ａ、火災感知器１０Ｂ、火災感知器１０Ｃ及び火災感知器１０Ｅのフローチャートである。火災感知器１０Ｄ及び火災感知器１０Ｆは、火災感知器１０Ｃ及び火災感知器１０Ｅと同じ階に設置されて同じ動作となるため、説明を割愛する。本実施形態では、各火災感知器１０Ａ〜１０Ｆの各検出部４３は、検出信号ＤＤを出力する。各火災感知器１０（１０Ａ〜１０Ｆ）の検出部４３の検出信号ＤＤを、ＤＤ−Ａ〜ＤＤ−Ｆと呼ぶ。
【００３０】
図３に描かれているように、ビルの地上１階で且つ火災感知器１０Ｂの近傍で火災ＦＲが発生していると仮定する。火災感知器１０Ｂの検出部４３は、検出信号ＤＤ−Ｂを出力する。検出信号ＤＤ−Ｂは、小さい値から徐々に上昇していき、後述するしきい値ＴＨ１に近づいていく。この時点では、火災感知器１０Ａ、１０Ｂないし１０Ｆの検出部４３の検出信号ＤＤが、しきい値ＴＨ１を超える信号を出していない。ＬＥＤ光源Ｌ１０などは点灯したり、発音部４５、マイク４７又はカメラ４９が作動したりしない（図４の上段の表を参照）。
【００３１】
ステップＳ１１にて、火災感知器１０Ｂの検出部４３の検出信号ＤＤ−Ｂがしきい値ＴＨ１を超えると、制御部４２は、ＬＥＤ光源Ｌ２０（橙色）を点灯させる（ステップＳ１２）。発音部４５は、「感知器が働きました。避難してください。」と記憶された音声で警報を出し、マイク４７及びカメラ４９が作動する（図４の上段の表を参照）。さらに、制御部４２は、他の火災感知器１０Ａ，１０Ｃ及び１０Ｅに、火災感知器１０Ｂの検出信号ＤＤ−Ｂがしきい値ＴＨ１を超えたことを示す感知器報知信号を送信する（ステップＳ１３）。
【００３２】
そして、図５には点線で示されているが、検出信号ＤＤ−Ｂは、さらに上昇していき、しきい値ＴＨ２を超えると（ステップＳ１４）、制御部４２は、ＬＥＤ光源Ｌ１０（赤色）を点灯させる（ステップＳ１６）。しきい値ＴＨ２を超えなければ（ステップＳ１４）、ＬＥＤ光源Ｌ２０（橙色）を点灯させつづける（ステップＳ１５）。発音部４５は、「すぐに避難してください。」と記憶された音声で警報を出す。さらに、制御部４２は、他の火災感知器１０Ａ，１０Ｃ及び１０Ｅに、火災感知器１０Ｂの検出信号ＤＤ−Ｂがしきい値ＴＨ２を超えたことを示す感知器報知信号を送信する（ステップＳ１７）。
【００３３】
火災感知器１０Ａ、１０Ｃ及び１０Ｅの各制御部４２は、感知器報知信号を受信してそれぞれ、ステップＳ２１からＳ２５、ステップＳ３１からＳ３５及びステップＳ４１からＳ４５を行う。別言すれば図４の下段に示した表の作動を開始する。
【００３４】
火災感知器１０Ａの制御部４２は、火災感知器１０Ａの検出部４３から出力されている検出信号ＤＤ−Ａとしきい値ＴＨ１とを比較する（ステップＳ２１）。そして、検出信号ＤＤ−Ａがしきい値ＴＨ１より小さければ、ＬＥＤ光源Ｌ３０を点灯させる（ステップＳ２２）。検出信号ＤＤ−Ａがしきい値ＴＨ１より大きければ、検出信号ＤＤ−Ａとしきい値ＴＨ２とを比較する（ステップＳ２３）。そして、検出信号ＤＤ−Ａがしきい値ＴＨ２より小さければ、ＬＥＤ光源Ｌ２０を点灯させる（ステップＳ２４）。検出信号ＤＤ−Ａがしきい値ＴＨ１より大きければ、ＬＥＤ光源Ｌ１０を点灯させる（ステップＳ２５）。図３で示されたように、火災感知器１０Ａは、地上１階で火災感知器１０Ｂの近傍に設置されているため、例えば、検出信号ＤＤ−Ａがしきい値ＴＨ１より大きくしきい値ＴＨ２より小さいと仮定すると、ＬＥＤ光源Ｌ２０（橙色）が点灯する。このとき、発音部４５は、「感知器が作動しました。避難してください。」と記憶された音声で警報を出す。なお、感知器報知信号には、送信元である火災感知器１０Ｂの感知器アドレスが含まれている。この感知器アドレスに基づいて受信した火災感知器１０Ａはその送信元から自己との位置関係を識別することもできる。そのため、発音部４５は、「隣の部屋で、感知器が作動しました。避難してください。」と音声で警報を出すことも可能である。
【００３５】
火災感知器１０Ｃの制御部４２は、火災感知器１０Ｃの検出部４３から出力されている検出信号ＤＤ−Ｃとしきい値ＴＨ１とを比較する（ステップＳ３１）。そして、検出信号ＤＤ−Ｃがしきい値ＴＨ１より小さければ、ＬＥＤ光源Ｌ３０を点灯させる（ステップＳ３２）。検出信号ＤＤ−Ｃがしきい値ＴＨ１より大きければ、検出信号ＤＤ−Ｃとしきい値ＴＨ２とを比較する（ステップＳ３３）。そして、検出信号ＤＤ−Ｃがしきい値ＴＨ２より小さければ、ＬＥＤ光源Ｌ２０を点灯させる（ステップＳ３４）。検出信号ＤＤ−Ｃがしきい値ＴＨ１より大きければ、ＬＥＤ光源Ｌ１０を点灯させる（ステップＳ３５）。例えば図３で示されたように、火災感知器１０Ｃは、地上２階に設置され検出信号ＤＤ−Ｃがしきい値ＴＨ１より小さいと仮定すると、ＬＥＤ光源Ｌ３０（緑色）が点灯する。このとき、発音部４５は、「感知器が作動しました。避難してください。」と記憶された音声で警報を出す。なお、感知器報知信号に含まれる火災感知器１０Ｂの感知器アドレスに基いて、「下階で、感知器が作動しました。避難してください。」と音声で警報を出すことも可能である。
【００３６】
火災感知器１０Ｅの制御部４２は、火災感知器１０Ｅの検出部４３から出力されている検出信号ＤＤ−Ｅとしきい値ＴＨ１とを比較する（ステップＳ４１）。そして、検出信号ＤＤ−Ｅがしきい値ＴＨ１より小さければ、ＬＥＤ光源Ｌ３０を点灯させる（ステップＳ４２）。検出信号ＤＤ−Ｅがしきい値ＴＨ１より大きければ、検出信号ＤＤ−Ｅとしきい値ＴＨ２とを比較する（ステップＳ４３）。そして、検出信号ＤＤ−Ｅがしきい値ＴＨ２より小さければ、ＬＥＤ光源Ｌ２０を点灯させる（ステップＳ４４）。検出信号ＤＤ−Ｅがしきい値ＴＨ１より大きければ、ＬＥＤ光源Ｌ１０を点灯させる（ステップＳ４５）。このとき、発音部４５は、「感知器が働きました。避難してください。」と記憶された音声で警報を出す。なお、感知器報知信号に含まれる火災感知器１０Ｂの感知器アドレスに基いて、「○階で、感知器が作動しました。避難してください。」と音声で警報を出すことも可能である。
【００３７】
なお、感知器報知信号として、しきい値ＴＨ１を超えた時点で送信されているが、この実施の形態では火災とされるレベルが煙濃度５％／ｍであって、この時点で感知器が作動した場合の火災信号とし、危険度が大のレベルでは非常事態的な信号として、信号内容で危険度を区別することもできる。ここで、火災とされるレベルは煙濃度１０％／ｍとすることもでき、その場合、煙濃度５％／ｍのレベルは火災警報としての予報レベル（プレアラーム）とすることもでき、予報段階からＬＥＤ発光を開始させてもよい。なお、ＬＥＤ発光を建物全体で開始させるレベルは、火災とされるレベルに合わせる必要はなく、別のレベルに設定してもよい。
【００３８】
上記フローチャートの説明において、ＬＥＤ光源Ｌ１０〜Ｌ３０の点灯及び発音部４５について説明したが、図４で説明したとおり、火災感知器１０Ａ、１０Ｃ及び１０Ｅの各制御部４２は、感知器報知信号を受信した時点で、マイク４７及びカメラ４９が作動する。図３から図５から理解できるように、防火対象物内に居る人は、ＬＥＤ光源の色や又は発音部４５の音声で自分自身のいる場所の状態を知ることができるとともに、ＬＥＤ光源３０（緑色）が点灯している方向に避難すればよいことがわかる。また、マイク４７が作動するため、マイク４７に向かって避難方法を尋ねることもできる。
【００３９】
また、上記実施の形態において、各火災感知器が火災感知器１０Ｂの感知器報知信号に基づいて検出信号ＤＤと各しきい値ＴＨ１、２との対比を行うように説明したが、検出信号ＤＤと各しきい値ＴＨ１、２との対比を常時行うようにしてもよく、その結果に基づき、常時ＬＥＤ光源の色を選択して発光していてもよい。なお、このとき、ＬＥＤ光源を点灯させる場合の発光量を抑え、消費電流を低減させることが好ましい。
【００４０】
（第２実施形態）
図６は、地下１階地上３階建てのビルに、地上１階から地上３階まで複数の火災感知器１０（１０Ａ〜１０Ｆ）及び光警報器５５が配置された概念図である。一つの光警報器５５は、その内部ブロック図が描かれている。光警報器５５以外は、図３で説明した構造と同じであるため、同じ機器番号の説明を割愛する。
【００４１】
光警報器５５は、火災感知器１０と親子関係になった光警報器である。第２実施形態では、一つの火災感知器１０に２つの光警報器５５が接続されている。光警報器５５は、半球状の拡散カバー１２、第３筐体５８及びＬＥＤ光源Ｌ１０〜Ｌ３０からなる。第３筐体５８は天井面又は壁面に取り付けられたベース（不図示）に取り付けられる。光警報器５５のＬＥＤ光源Ｌ１０〜Ｌ３０は、第１実施形態のＬＥＤ光源Ｌ１０〜Ｌ３０と同じである。光警報器５５は、拡散カバー１２が天井面から下方又は壁面から横方に向いてＬ１０、Ｌ２０、又はＬ３０が発光することができるので、天井面又は壁面から室内に向けて赤色、橙色又は緑色を効率よく発光することができる。
【００４２】
光警報器５５が建物の天井面又は壁面に取り付けられた際には、半球状の拡散カバー１２が建物内で下向き又は横向きに突出している。光警報器５５は、ＬＥＤ光源Ｌ１０〜Ｌ３０用の電池等（不図示）が配置されている。
【００４３】
次に火災感知器１０及び光警報器５５の動作について説明する。図７は、火災感知器１０及び光警報器５５のフローチャートである。図５のフローチャートと異なり、火災受信機１００からの感知器報知信号に基づいて他の火災感知器１０Ａ、１０Ｃ及びそれらの光警報器５５が作動する例である。
【００４４】
図６に描かれているように、ビルの地上１階で且つ火災感知器１０Ｂの近傍で火災ＦＲが発生していると仮定する。火災感知器１０Ｂの検出部４３は、検出信号ＤＤ−Ｂを出力する。検出信号ＤＤ−Ｂは、小さい値から徐々に上昇していき、後述するしきい値ＴＨ１に近づいていく。この時点では、火災感知器１０Ａ、１０Ｂ及び１０Ｃの検出部４３の検出信号ＤＤが、しきい値ＴＨ１を超える信号を出してなく、ＬＥＤ光源Ｌ１０などが点灯したり、カメラ４９等が作動したりしない。
【００４５】
ステップＳ５１にて、火災感知器１０Ｂの検出部４３の検出信号ＤＤ−Ｂがしきい値ＴＨ１を超えると、制御部４２は、感知器報知信号を火災受信機１００に送信する。火災受信機１００は、火災発生と判断するとともに感知器報知信号をすべての火災感知器１０に送信する（ステップＳ５２）。このとき、火災受信機１００が火災発生と判断するのは、感知器報知信号のレベルが危険度中で煙濃度５％以上等の状態としていからであり、例えば、しきい値ＴＨ１が煙濃度３％等であれば、予報のような火災の前兆状態と判断してもよい。
【００４６】
火災感知器１０Ｂの制御部４２は、ＬＥＤ光源Ｌ２０（橙色）を点灯させるとともに（ステップＳ５３）、他の火災感知器１０Ａ及び１０Ｃに、親子関係の光警報器５５のＬＥＤ光源Ｌ２０を点灯させる（ステップＳ５４）。
【００４７】
そして、図７には点線で示されているように、検出信号ＤＤ−Ｂは、さらに上昇していき、しきい値ＴＨ２を超えると（ステップＳ５５）、制御部４２は、ＬＥＤ光源Ｌ１０（赤色）を点灯させる（ステップＳ５６）。しきい値ＴＨ２を超えなければ（ステップＳ５５）、ＬＥＤ光源Ｌ２０（橙色）を点灯させつづける（ステップＳ５３）。さらに、制御部４２は、火災受信機１００に、火災感知器１０Ｂの検出信号ＤＤ−Ｂがしきい値ＴＨ２を超えたことを示す感知器報知信号を送信する。
【００４８】
火災感知器１０Ａ及び１０Ｃの各制御部４２は、火災受信機１００からの火災信号を受信してそれぞれ、ステップＳ６１からＳ６８及びステップＳ７１からＳ７８を行う。
【００４９】
火災感知器１０Ａの制御部４２は、火災感知器１０Ａの検出部４３から出力されている検出信号ＤＤ−Ａとしきい値ＴＨ１とを比較する（ステップＳ６１）。そして、検出信号ＤＤ−Ａがしきい値ＴＨ１より小さければ、制御部４２は、ＬＥＤ光源Ｌ３０を点灯させ（ステップＳ６２）、親子関係の光警報器５５のＬＥＤ光源Ｌ３０を点灯させる（ステップＳ６３）。検出信号ＤＤ−Ａがしきい値ＴＨ１より大きければ、制御部４２は、火災受信機１００に、火災感知器１０Ａの検出信号ＤＤ−Ａがしきい値ＴＨ１を超えたことを示す感知器報知信号を送信する。次に制御部４２は、検出信号ＤＤ−Ａとしきい値ＴＨ２とを比較する（ステップＳ６４）。そして、検出信号ＤＤ−Ａがしきい値ＴＨ２より小さければ、ＬＥＤ光源Ｌ２０を点灯させ（ステップＳ６５）、親子関係の光警報器５５のＬＥＤ光源Ｌ２０を点灯させる（ステップＳ６６）。検出信号ＤＤ−Ａがしきい値ＴＨ１より大きければ、制御部４２は、火災受信機１００に、火災感知器１０Ａの検出信号ＤＤ−Ａがしきい値ＴＨ２を超えたことを示す感知器報知信号を送信する。次に制御部４２は、ＬＥＤ光源Ｌ１０を点灯させ（ステップＳ６７）、親子関係の光警報器５５のＬＥＤ光源Ｌ１０を点灯させる（ステップＳ６８）。例えば、検出信号ＤＤ−Ａがしきい値ＴＨ１より大きくしきい値ＴＨ２より小さいと仮定すると、ＬＥＤ光源Ｌ２０（橙色）及び親子関係の光警報器５５のＬＥＤ光源Ｌ２０（橙色）を点灯させる。
【００５０】
火災感知器１０Ｃの制御部４２は、火災感知器１０Ｃの検出部４３から出力されている検出信号ＤＤ−Ｃとしきい値ＴＨ１とを比較する（ステップＳ７１）。そして、検出信号ＤＤ−Ｃがしきい値ＴＨ１より小さければ、ＬＥＤ光源Ｌ３０を点灯させ（ステップＳ７２）、親子関係の光警報器５５のＬＥＤ光源Ｌ３０を点灯させる（ステップＳ７３）。検出信号ＤＤ−Ｃがしきい値ＴＨ１より大きければ、制御部４２は、火災受信機１００に、火災感知器１０Ｃの検出信号ＤＤ−Ｃがしきい値ＴＨ１を超えたことを示す感知器報知信号を送信する。次に制御部４２は、検出信号ＤＤ−Ｃとしきい値ＴＨ２とを比較する（ステップＳ７４）。そして、検出信号ＤＤ−Ｃがしきい値ＴＨ２より小さければ、ＬＥＤ光源Ｌ２０を点灯させる（ステップＳ７５）、親子関係の光警報器５５のＬＥＤ光源Ｌ２０を点灯させる（ステップＳ７６）。検出信号ＤＤ−Ｃがしきい値ＴＨ１より大きければ、制御部４２は、火災受信機１００に、火災感知器１０Ｃの検出信号ＤＤ−Ｃがしきい値ＴＨ２を超えたことを示す感知器報知信号を送信する。次に制御部４２は、ＬＥＤ光源Ｌ１０を点灯させ（ステップＳ７７）、親子関係の光警報器５５のＬＥＤ光源Ｌ１０を点灯させる（ステップＳ７８）。例えば検出信号ＤＤ−Ｃがしきい値ＴＨ１より小さいと仮定すると、ＬＥＤ光源Ｌ３０（緑色）親子関係の光警報器５５のＬＥＤ光源Ｌ３０（緑色）を点灯させる。
【００５１】
第２実施形態において、発音部４５からの音声について説明していないが、第１実施形態と同様な音声を出すようにしてよい。
【００５２】
第１及び第２実施形態において、各火災感知器１０による光警報器５５の制御機構は、詳細に説明しないが、有線であり、無線で制御すると、伝送線５０以外の光警報器５５への配線が不要となり、簡便なシステムとなる。また、各光警報器５５を直接伝送線５０に接続し、各火災感知器１０からの情報に基づいて火災受信機１００が各光警報器５５に制御信号を送出して発光制御してもよい。この場合、火災受信機１００は、各火災感知器１０と同様、各光警報器５５を個別に認識して制御可能とするとともに、あらかじめ火災感知器１０と光警報器５５との関係を設定するデータを保有していなければならない。
【００５３】
なお本発明は、その目的と利点を損なうことのない適宜の変形することができる。例えば、さらに火災感知器１０は、高輝度の白色ＬＥＤ光源をさらに有していてもよく、火災発生時にＬＥＤ光源Ｌ１０（赤色）を点灯させるだけでなく、高輝度の白色ＬＥＤ光源をフラッシュライトのように激しく点滅させてもよい。このようにフラッシュライトが点滅することで、聴覚の機能が十分でない障害者が火災を更に認識しやすくできる。
【００５４】
また、ＬＥＤ光源Ｌ１０〜Ｌ３０の発光制御は危険度として複数のしきい値を設定している。第１および第２実施形態では、火災とするレベルを中心とすると、下側が１段で上側が２段とするための設定になっているが、この段数を増加させ、すなわち、しきい値設定を増加してＬＥＤ光源も追加して、火災とするレベルから上下に複数段設定することで、火災とすべき場所での危険度と火災とされない場所での危険度をそれぞれ複数段に区別することが可能となる。
【符号の説明】
【００５５】
１０（１０Ａ〜１０Ｆ）：火災感知器
１１：感知器本体
１２：拡散カバー
１４：第１筐体
１５：周辺環境導入口
１７：開口
１８：第２筐体
１９：ベース
２２：保護カバー
４１：プリント基板
４２：制御部
４５：発音部
４７：マイク
４９：カメラ
５０：伝送線
５５：光警報器
５８：第３筐体
１００：  火災受信機
１０２：  総合操作盤
１０４：  火災モニタ盤
ＢＴ：電池
ＤＤ：検出信号
Ｌ１０、Ｌ２０、Ｌ３０：  ＬＥＤ光源（赤色）、ＬＥＤ光源（橙色）、ＬＥＤ光源（緑色）
【図１】
2015094982.tif 000003
【図２】
2015094982.tif 000004
【図３】
2015094982.tif 000005
【図４】
2015094982.tif 000006
【図５】
2015094982.tif 000007
【図６】
2015094982.tif 000008
【図７】
2015094982.tif 000009